(57)【要約】      （修正有）【課題】生ごみを粉碎する粉砕機に微生物を活用して粉砕された生ごみを消滅するようにする消滅機が組合される生ごみ処理装置を提供する。【解決手段】生ごみ処理装置は、シンク台の流し台１０に形成された流し口１１と粉砕機１２０の投入口１２１の間に配置されて生ごみと皿洗い水を濾過分離する濾過部１１０と、濾過された生ごみが１２１を通じて投入される場合、生ごみを粉砕させて排出口１２２を通じて排出する１２０と、１１０と１２０に連結組合された状態で生ごみが消滅容器１３１に流入される場合、これを微生物と撹拌させて消滅させて生ごみの水分と皿洗い水を外部に排水させる消滅機１３０と、及びシンク台の水道栓から水道水の供給を受けてこれを１３１の壁面を向けて噴射させて１３１の微生物に水分を供給して壁面に付着した生ごみの残余物が洗滌除去されるようにする洗滌部１４０を含んで構成される。【選択図】図２
2015013249.tif 000002
【特許請求の範囲】
【請求項１】
シンク台の流し台１０に形成された流し口１１と粉砕機１２０の投入口１２１の間に配置されて、生ごみと皿洗い水を濾過分離して前記分離した皿洗い水を排水口１１３aを通じて排水させて濾過された生ごみを投入口１２１に投入されるようにする濾過部１１０と、
前記濾過部１１０に連結された状態で濾過部１１０によって濾過された生ごみが投入口１２１を通じて投入される場合、生ごみを粉砕させて排出口１２２を通じて排出する粉砕機１２０と、
前記濾過部１１０と前記粉砕機１２０に連結組合された状態で生ごみが消滅容器１３１に流入される場合、これを微生物と撹拌させて消滅させて生ごみの水分と皿洗い水を外部に排水させる消滅機１３０と、及び
前記消滅機１３０の消滅容器１３１上側に構成されてシンク台の水道栓から水道水の供給を受けて、これを消滅容器１３１の壁面を向けて噴射させて消滅容器１３１の微生物に水分を供給するか、または壁面に付着した生ごみの残余物が洗滌除去されるようにする洗滌部１４０と、を含むことを特徴とする生ごみ処理装置。
【請求項２】
前記濾過部１１０は、
前記流し台１０の流し口１１周りによって上端が支持されるように流し口１１に挿入されて上下端が開口された流し口固定容器１１１と、
前記流し口固定容器１１１の下端開口周りによって上端が支持されるように流し口固定容器１１１に挿入されて、上端が開口されて側面に皿洗い水が排水される排水孔１１２aらが形成されて、生ごみだけ濾過されるようにする濾過網１１２と、
前記濾過網１１２を収容した状態で前記流し口固定容器１１１の外側に上端内側が螺合されて、下側に前記濾過網１１２の排水孔１１２aを通じて排水される皿洗い水が排水されるようにする排水口１１３aが形成されて上下端が開口された分配容器１１３と、
前記分配容器１１３に濾過網１１２が収容される以前に分配容器１１３の下端開口部位の内側に上部外側が螺合されて分配容器１１３と流し口固定容器１１１の結合時に濾過網１１２の下端部が上端に支持されるようにして、下端部に形成された係止溝１１４aに前記粉砕機１２０の投入口１２１に形成された係止口１２１aが係止支持されるように挿入されて上下端が開口された粉砕機固定容器１１４と、及び
前記粉砕機固定容器１１４の上部外側に内側が螺合されて分配容器１１３の下端が支持されるようにして、粉砕機１２０が流し口１１に安定的に結合された状態を有するようにして上下端が開口された粉砕機固定ナット１１５を含むことを特徴とする請求項１に記載の生ごみ処理装置。
【請求項３】
前記粉砕機１２０は、
投入口１２１と排出口１２２を有する粉砕容器１２３の内部にスリット型または円形の固定刃とモータによって回転する円盤に可動式ハンマーであることを特徴とする請求項２に記載の生ごみ処理装置。
【請求項４】
前記消滅機１３０は、
ハウジングＨの内部に構成される消滅容器１３１と、
前記消滅容器１３１の一側に形成されて粉砕機１２０の排出口１２２に排出パイプ１３２aを通じて連結されて、生ごみが消滅容器１３１に流入されるようにする流入口１３２と、
前記消滅容器１３１の下側に形成されて生ごみに含まれた水が集塵されるようにする排水室１３３と、
前記排水室１３３の一側に形成されて濾過部１１０の排水口１１３aに流入パイプ１３４aを通じて連結されて、皿洗い水が排水室１３３に流入されるようにする流入孔１３４と、
前記排水室１３３の一側に形成されてハウジングＨの外部に延長される排水パイプ１３５aを通じて連結されて、排水室１３３の皿洗い水と生ごみから集塵された水が外部に排水されるようにする排水孔１３５と、
前記消滅容器１３１の上側に開口形成されて生ごみと微生物が流入されて、ふた１３６aによって開口部が開閉されて、ふた１３６aを通じる開口部の開放時に一方向だけで生ごみと微生物が流入されるように動作する逆流防止板１３６bを有する入口１３６と、
前記消滅容器１３１の内部に構成された状態でハウジングＨの一側に位置された駆動モータＭの動力によって回転動作されて生ごみと微生物を撹拌混合させて生ごみが消滅するようにする撹拌部１３７と、
前記消滅容器１３１の外部に構成された状態で前記消滅容器１３１を加熱させて生ごみを加熱させるヒーティング部１３８と、及び
前記消滅容器１３１内部の撹拌部１３７下側に位置されて、排水室１３３と消滅容器１３１を仕分け区切って生ごみが排水室１３３に流入されることができないようにして多数個の排水孔１３９aらを通じて前記生ごみの水分が排水室１３３に集塵されるようにする排水板１３９を含むことを特徴とする請求項３に記載の生ごみ処理装置。
【請求項５】
前記洗滌部１４０は、
前記消滅容器１３１の入口１３６に対応される開口部が中央に形成されて、消滅容器１３１の上面面積に対応される面積を有して、消滅容器１３１の内部上面に構成される洗滌パンネル１４１と、
前記洗滌パンネル１４１の内部中空部１４１aに一端が連結されるように洗滌パンネル１４１の下側面に位置されて、シンク台の水道栓から水道水の供給を受ける水道水供給管１４２と、及び
前記洗滌パンネル１４１の底面縁に形成されて、前記水道水供給管１４２を通じて中空部１４１aに水道水の供給時に、これを消滅容器１３１の壁面と消滅容器１３１に噴射されるようにして、消滅容器１３１の壁面に付着した生ごみの残余物が分離除去されるようにする洗滌用管路１４３a及び多数個の噴射孔１４３を含むことを特徴とする請求項４に記載の生ごみ処理装置。
【発明の詳細な説明】
【技術分野】
【０００１】
本発明は、生ごみ処理装置に関するものであり、より詳細には、生ごみを粉碎する粉砕機に微生物を活用して粉砕された生ごみを消滅するようにする消滅機が組合される生ごみ処理装置に関する。
【背景技術】
【０００２】
環境に対する関心が高くなりながら家庭や営業場などで不可欠に発生される生ごみの処理に対する問題が頭をもたげている。
【０００３】
このような生ごみは、別途のごみ袋に詰められるか、または別途の容器に集められて一括収去されて処理されるが、収去過程でひどい悪臭が発生されて非衛生的であるだけでなく、生ごみの水分がごみ袋の外に流出されて周りが汚なくなる問題点があって、家庭や営業場自体で生ごみを消滅させることが切実な実情である。
【０００４】
これに、最近には生ごみを粉碎して排出する粉砕方式と微生物などを利用して消滅させる消滅方式などを有する生ごみ処理装置が大韓民国登録特許１０-０８１３３４２号などに開示されたことがある。
【０００５】
ここで、前記従来の生ごみ処理装置は、生ごみ及び微生物が投入される投入口が形成されて、生ごみが破砕及び撹拌される処理室が具備されて、前記処理室の一側に乾燥室及び駆動室が揃って、前記処理室の下部に生ごみ及び微生物から発生する水分が排水される排水口が形成されるハウジングと、前記投入口の下部に固定設置される破砕口及び破砕モータによって回転される破砕刃が具備されて投入された生ごみを破砕する破砕部と、前記処理室に設置されて撹拌モータによって結合されて回転して、内部に中空部が形成された撹拌軸及び前記撹拌軸の外周に螺旋形の撹拌翼が結合されて破砕された生ごみ及び微生物を撹拌する撹拌部と、前記乾燥室に設置されて送風機及びヒーターが具備されて、前記処理室に熱風を供給することと共に前記撹拌軸で連結された油路が形成されて中空部に熱風を供給して生ごみを加熱させるヒーティング部と、前記撹拌部の下部に多数個の排水孔が形成された多孔板が設置されて生ごみの水分を前記排水口に排出する排水部と、前記破砕部と撹拌部及びヒーティング部の動作を制御する制御部と、を含む。
【０００６】
しかし、前記従来の生ごみ処理装置は、一つの処理室に破砕部と撹拌部が共に形成されるために、二つの構成部の機能を個別的に使用することができない問題点があって、併せて、シンク台の流し台から独立的に設置されなければならないために多い空間を占める問題点があり、また、撹拌部の動作時に処理室の壁面に生ごみの残余物が付着される場合、これをとり除くための構成部が具備されなくて、使用者が処理室の壁面に付着した残余物を直接とり除かなければならないなどの問題点がある。
【先行技術文献】
【特許文献】
【０００７】
【特許文献１】韓国登録特許第１０−０８１３３４２号公報
【発明の概要】
【発明が解決しようとする課題】
【０００８】
本発明は、生ごみを粉砕処理する粉砕機が濾過部を通じて流し台の下側部に設置されて、生ごみを消滅処理する消滅機が粉砕機と別に構成されて組合されるようにして、粉砕機と消滅機の個別的使用ができるようにすると共にそれぞれの維持補修を容易にして、狭い空間にも容易に構成されるようにすることができる生ごみ処理装置を提供することをその目的とする。
【０００９】
また、本発明は、消滅機の消滅容器上側部に洗滌部が構成されるようにして、洗滌部によって消滅容器の微生物に水分が供給されるようにするか、または消滅容器の壁面が洗滌されるようにして消滅容器の壁面に付着した生ごみの残余物が簡便に除去されるようにすることができる生ごみ処理装置を提供することを他の目的とする。
【課題を解決するための手段】
【００１０】
前記の目的を達成するために、本発明による生ごみ処理装置は、シンク台の流し台に形成された流し口と粉砕機の投入口との間に配置されて生ごみと皿洗い水を濾過分離して、前記分離した皿洗い水を排水口を通じて排水させて、濾過された生ごみを投入口に投入されるようにする濾過部と、該濾過部に連結された状態で濾過部によって濾過された生ごみが投入口を通じて投入される場合生ごみを粉砕させて排出口を通じて排出する粉砕機と、前記濾過部と前記粉砕機に連結組合された状態で生ごみが消滅容器に流入される場合、これを微生物と撹拌させて消滅させて、生ごみの水分と皿洗い水を外部に排水させる消滅機と、及び前記消滅機の消滅容器の上側に構成されてシンク台の水道栓から水道水の供給を受けて、これを消滅容器の壁面を向けて噴射させて消滅容器の微生物に水分を供給するか、または壁面に付着された生ごみの残余物が洗滌除去されるようにする洗滌部と、を含んで構成される。
【００１１】
前記生ごみ処理装置において、前記濾過部は、前記流し台の流し口の周りによって上端が支持されるように流し口に挿入されて上下端が開口された流し口固定容器と、前記流し口固定容器の下端開口の周りによって上端が支持されるように流し口固定容器に挿入されて上端が開口されて側面に皿洗い水が排水される排水孔らが形成されて、生ごみだけ濾過されるようにする濾過網と、該濾過網を収容した状態で前記流し口固定容器の外側に上端内側が螺合されて、下側に前記濾過網の排水孔を通じて排水される皿洗い水が排水されるようにする排水口が形成されて上下端が開口された分配容器と、該分配容器に濾過網が収容される以前に分配容器の下端開口部位の内側に上部外側が螺合されて分配容器と流し口固定容器の結合時に濾過網の下端部が上端に支持されるようにして下端部に形成された係止溝に前記粉砕機の投入口に形成された係止口が係止支持されるように挿入されて、上下端が開口された粉砕機固定容器と、及び前記粉砕機固定容器の上部外側に内側が螺合されて分配容器の下端が支持されるようにして粉砕機が流し口に安定的に結合された状態を有するようにして上下端が開口された粉砕機固定ナットを含むことが望ましい。
【００１２】
前記生ごみ処理装置において、前記粉砕機は、投入口と排出口を有する粉砕容器の内部にスリット型または円形の固定刃とモータによって回転する円盤に可動式ハンマーであることが望ましい。
【００１３】
前記生ごみ処理装置において、前記消滅機は、ハウジングの内部に構成される消滅容器と、該消滅容器の一側に形成されて粉砕機の排出口に排出パイプを通じて連結されて生ごみが消滅容器に流入されるようにする流入口と、前記消滅容器の下側に形成されて生ごみに含まれた水が集塵されるようにする排水室と、該排水室の一側に形成されて濾過部の排水口に流入パイプを通じて連結されて皿洗い水が排水室に流入されるようにする流入孔と、前記排水室の一側に形成されてハウジングの外部に延長される排水パイプを通じて連結されて排水室の皿洗い水と生ごみから集塵された水が外部に排水されるようにする排水孔と、前記消滅容器の上側に開口形成されて生ごみと微生物が流入されてふたによって開口部が開閉されてふたを通じる開口部の開放時に一方向だけで生ごみと微生物が流入されるように動作する逆流防止板を有する入口と、前記消滅容器の内部に構成された状態でハウジングの一側に位置された駆動モータの動力によって回転動作されて生ごみと微生物を撹拌混合させて生ごみが消滅するようにする撹拌部と、前記消滅容器の外部に構成された状態で前記消滅容器を加熱させて生ごみを加熱させるヒーティング部と、及び前記消滅容器内部の撹拌部下側に位置されて排水室と消滅容器を仕分け区切って生ごみが排水室に流入されることができないようにして、多数個の排水孔らを通じて前記生ごみの水分が排水室に集塵されるようにする排水板と、を含むことが望ましい。
【００１４】
前記生ごみ処理装置において、前記洗滌部は、前記消滅容器の入口に対応される開口部が中央に形成されて消滅容器の上面面積に対応される面積を有して消滅容器の内部上面に構成される洗滌パンネルと、該洗滌パンネルの内部中空部に一端が連結されるように洗滌パンネルの下側面に位置されて、シンク台の水道栓から水道水の供給を受ける水道水供給管と、及び前記洗滌パンネルの底面縁に形成されて前記水道水供給管を通じて中空部に水道水の供給時に、これを消滅容器の壁面と消滅容器に噴射されるようにして消滅容器の壁面に付着した生ごみの残余物が分離除去されるようにする洗滌用管路及び多数個の噴射孔を含むことが望ましい。
【発明の効果】
【００１５】
本発明によれば、生ごみを粉砕処理する粉砕機が濾過部を通じて流し台の下側部に設置されて、生ごみを消滅処理する消滅機が粉砕機に別に構成されて組合されるようにすることで、粉砕機と消滅機の個別的使用ができるようにして維持補修などが容易であり、また狭い空間にも容易に設置されることができる。
【００１６】
また、消滅機の消滅容器上側部に構成される洗滌部によって消滅容器の壁面が洗滌されるようにすることで、消滅容器の微生物に水分が供給されるようにして微生物の活性化ができるようにするか、または消滅容器壁面に付着した生ごみの残余物を簡便に除去することができて、これを通じて生ごみの処理効率を向上させることができる。
【００１７】
一方、本発明の効果は、以上で言及した効果で制限されないし、言及されなかった他の効果らは、請求範囲の記載から当業者に明確に理解されることができるであろう。
【図面の簡単な説明】
【００１８】
【図１】本発明の望ましい実施例による生ごみ処理装置を示した斜視図である。
【図２】図１の生ごみ処理装置を示した正断面図である。
【図３】図１の生ごみ処理装置を示した側断面図である。
【図４】図１の生ごみ処理装置において濾過部を示した分解斜視図である。
【図５】図１の生ごみ処理装置において洗滌部を示した図面である。
【発明を実施するための形態】
【００１９】
以下、添付された図面を参照しながら本発明の望ましい実施例に対して詳しく説明することにする。
【００２０】
図１乃至図５に示されたところのように、本発明の望ましい実施例による生ごみ処理装置は、濾過部１１０、粉砕機１２０、消滅機１３０及び洗滌部１４０を含んで構成される。
【００２１】
濾過部１１０は、シンク台の流し台１０に形成された流し口１１と粉砕機１２０の投入口１２１との間に配置されて、生ごみと皿洗い水を濾過分離して分離した皿洗い水を排水口１１３aを通じて排水させて濾過された生ごみを投入口１２１に投入されるようにする。
【００２２】
粉砕機１２０は、濾過部１１０に連結された状態で濾過部１１０によって濾過された生ごみが投入口１２１を通じて投入される場合、投入された生ごみを粉砕させて排出口１２２を通じて排出する。
【００２３】
消滅機１３０は、濾過部１１０と粉砕機１２０に連結組合された状態で粉砕機１２０によって粉砕された生ごみが消滅容器１３１に流入される場合、これを微生物と撹拌させて消滅させて生ごみの水分と皿洗い水を外部に排水させる。
【００２４】
洗滌部１４０は、消滅機１３０の消滅容器１３１上側に設置されてシンク台の水道栓から水道水の供給を受けて、これを消滅容器１３１の壁面を向けて噴射させて消滅容器１３１の微生物に水分を供給するか、または壁面に付着した生ごみの残余物が洗滌除去されるようにする。
【００２５】
濾過部１１０は、シンク台の流し台１０に形成された流し口１１と粉砕機１２０の投入口１２１との間に配置されて、生ごみと皿洗い水を濾過分離して前記分離した水を排水口１１３aを通じて排水させる濾過分離手段で、流し口固定容器１１１、濾過網１１２、分配容器１１３、粉砕機固定容器１１４及び粉砕機固定ナット１１５を具備する。
【００２６】
流し口固定容器１１１は、流し台１０の流し口１１周りによって上端が支持されるように流し口１１に挿入されて、上下端はすべて開口される。
【００２７】
濾過網１１２は、流し口固定容器１１１の下端開口周りによって上端が支持されるように流し口固定容器１１１に挿入されて、上端が開口されて側面に皿洗い水が排水される排水孔１１２aらが形成されて生ごみだけ濾過されるようにする。
【００２８】
分配容器１１３は、濾過網１１２を内部に収容した状態で流し口固定容器１１１の外側に上端内側が螺合されて、下側に前記濾過網１１２の排水孔１１２aを通じて排水される皿洗い水が排水されるようにする排水口１１３aが形成されて上下端が開口される。
【００２９】
粉砕機固定容器１１４は、分配容器１１３に濾過網１１２が収容される以前に分配容器１１３の下端開口部位の内側に上部外側が螺合されて分配容器１１３と流し口固定容器１１１の結合時に濾過網１１２の下端部が上端に支持されるようにする。粉砕機固定容器１１４の下端部に形成された係止溝１１４aに粉砕機１２０の投入口１２１に形成された係止口１２１aが係止支持されて、粉砕機固定容器１１４は上下端がすべて開口される。
【００３０】
粉砕機固定ナット１１５は、粉砕機固定容器１１４の上部外側に内側が螺合されて、分配容器１１３の下端が支持されるようにして粉砕機１２０が流し口１１に安定的に結合された状態を有するようにして上下端が開口される。
【００３１】
ここで、流し口１１周りで流し台１０の上面と下面に接触される流し口固定容器１１１と分配容器１１３にそれぞれ該当の部位にパッキングが構成されて、また、粉砕機固定容器１１４の上部内側に接触される濾過網１１２の該当部位にもパッキングが構成されて、また、分配容器１１３の下端開口部の上面と底面に接触される粉砕機固定容器１１４と粉砕機固定ナット１１５にもそれぞれ該当部位にパッキングが構成されて、パッキングを通じてシーリング機能が提供されるようにすることが望ましい。
【００３２】
したがって濾過部１１０によれば、粉砕機１２０の投入口１２１が流し台１０の流し口１１に前記構成部らを通じて簡便に連結された状態を有することができるし、生ごみと皿洗い水を濾過網１１２を通じて濾過分離して、前記分離した水は分配容器１１３の排水口１１３aを通じて排水させて前記濾過された生ごみは濾過網１１２を分配容器１１３から分離した状態で濾過網１１２を覆す動作を通じて粉砕機１２０の投入口１２１に連結された粉砕機固定容器１１４に生ごみが投入されるようにすることができる。
【００３３】
粉砕機１２０は、濾過部１１０の粉砕機固定容器１１４に連結された状態で濾過部１１０によって濾過された生ごみが投入口１２１を通じて投入される場合生ごみを粉砕させて排出口１２２を通じて排出する粉砕手段で、投入口１２１と排出口１２２を有する粉砕容器１２３の内部にスリット型または円形の固定刃とモータによって回転する円盤に可動式ハンマーなどのような公知の構成部が構成されて、投入口１２１を通じて投入された生ごみを粉碎した後排出口１２２を通じて消滅機１３０の消滅容器１３１に排出する。
【００３４】
したがって粉砕機１２０によれば、濾過部１１０の濾過網１１２によって濾過された生ごみが細かく粉砕されるようにして、後述された消滅機１３０を通じる消滅作業が円滑になされるようにすることができる。
【００３５】
消滅機１３０は、濾過部１１０と粉砕機１２０に連結組合された状態で生ごみが消滅容器１３１に流入される場合、これを微生物と撹拌させて消滅させて生ごみの水分と皿洗い水を外部に排水させる消滅手段で、消滅容器１３１、流入口１３２、排水室１３３、流入孔１３４、排水孔１３５、入口１３６、撹拌部１３７、ヒーティング部１３８及び排水板１３９を具備する。
【００３６】
消滅容器１３１は、ハウジングＨの内部に構成される。
【００３７】
流入口１３２は、消滅容器１３１の一側に形成されて、粉砕機１２０の排出口１２２に排出パイプ１３２aを通じて連結されて、生ごみが消滅容器１３１に流入されるようにする。
【００３８】
排水室１３３は、消滅容器１３１の下側に形成されて生ごみに含まれた水が集塵されるようにする。
【００３９】
流入孔１３４は、排水室１３３の一側に形成されて濾過部１１０の排水口１１３aに流入パイプ１３４aを通じて連結されて、皿洗い水が排水室１３３に流入されるようにする。
【００４０】
排水孔１３５は、排水室１３３の一側に形成されてハウジングＨの外部に延長される排水パイプ１３５aを通じて連結されて、排水室１３３の皿洗い水と生ごみから集塵された水が外部に排水されるようにする。
【００４１】
入口１３６は、消滅容器１３１の上側に開口形成されて生ごみと微生物が流入されて、ふた１３６aによって開口部が開閉されてふた１３６aを通じる開口部の開放時に一方向だけで生ごみと微生物が流入されるように動作する逆流防止板１３６bを有する。
【００４２】
撹拌部１３７は、消滅容器１３１の内部に構成された状態でハウジングＨの一側に位置された駆動モータＭの動力によって回転動作されて、生ごみと微生物を撹拌混合させて生ごみが消滅するようにする。
【００４３】
ヒーティング部１３８は、消滅容器１３１の外部に構成された状態で消滅容器１３１を加熱させて微生物を活性化させる。
【００４４】
排水板１３９は、消滅容器１３１内部の撹拌部１３７下側に位置されて、排水室１３３と消滅容器１３１を仕分け区切って生ごみが排水室１３３に流入されることができないようにして多数個の排水孔１３９aらを通じて前記生ごみの水分が排水室１３３に集塵されるようにする。
【００４５】
ここで、撹拌部１３７は、駆動モータＭに連結されて回転動作される回転軸１３７aと回転軸１３７aに所定間隔と所定角度を有しながら配置される複数個の撹拌翼１３７bを具備する。
【００４６】
また、ヒーティング部１３８は、消滅容器１３１の外側面に付着した面相発熱ヒーターを具備する。
【００４７】
一方、排水室１３３の外側には、ソレノイドバルブが水道水供給ホースに連結されるように構成されて排水室１３３に流入または集塵された食べ物残物を洗滌した方が良い。また、消滅容器１３１の一側には、エアポンプが消滅容器１３１及び排水室１３３に連結されるように構成された状態で消滅容器１３１及び排水室１３３に形成される多数個の通孔を通じて酸素が供給されるようにして微生物の円滑な繁殖を可能にさせた方が良い。
【００４８】
したがって消滅機１３０によれば、入口１３６または流入口１３２を通じて投入される生ごみを消滅容器１３１に収容されるようにした状態で撹拌部１３７とヒーティング部１３８を通じる微生物との撹拌反応と加熱を通じて生ごみが分解または消滅するようにすることと共に、排水室１３３を通じて生ごみの水分と皿洗い水を集塵して外部に排水させて生ごみを効率的に処理することができる。
【００４９】
洗滌部１４０は、消滅機１３０の消滅容器１３１上側に構成されてシンク台の水道栓から水道水の供給を受けて、これを消滅容器１３１の壁面を向けて噴射させて消滅容器１３１の微生物に水分を供給するか、または壁面に付着した生ごみの残余物が洗滌除去されるようにする洗滌手段で、洗滌パンネル１４１、水道水供給管１４２、洗滌用管路１４３a及び多数個の噴射孔１４３を具備する。
【００５０】
洗滌パンネル１４１は、消滅容器１３１の入口１３６に対応される開口部が中央に形成されて、消滅容器１３１の上面面積に対応される面積を有して消滅容器１３１の内部上面に構成される。
【００５１】
水道水供給管１４２は、洗滌パンネル１４１の内部中空部１４１aに一端が連結されるように洗滌パンネル１４１の下側面に位置されて連結ホース(図示せず)などを通じてシンク台の水道栓から水道水の供給を受ける。
【００５２】
洗滌用管路１４３a及び多数個の噴射孔１４３は、消滅容器１３１の壁面の位置に対応される洗滌パンネル１４１の底面縁に形成されて、水道水供給管１４２を通じて中空部１４１aに水道水の供給時、これを消滅容器１３１の壁面に噴射されるようにして消滅容器１３１の壁面に付着した生ごみの残余物が分離除去されるようにする。
【００５３】
ここで、水道水供給管１４２は、消滅容器１３１の外側に貫通構成された連結管(符号なし)に連結ホースを通じて連結されて、連結管の一端がシンク台の水道栓に連結されるようにすることが望ましい。
【００５４】
したがって洗滌部１４０によれば、水道栓から水道水の供給を受けて、これを消滅容器１３１と消滅容器１３１の壁面を向けて噴射させて消滅容器１３１の微生物に水分を供給するか、または壁面に付着した生ごみの残余物が洗滌除去されるようにして、微生物の活性化ができるようにすることができて、また、消滅容器１３１の掃除が容易であるようにできて、これを通じて、生ごみの処理効率を向上させることができる。
【００５５】
一方、本発明の実施例による、粉砕機１２０、消滅機１３０及び洗滌部１４０は、制御機(図示せず)によってその動作が個別制御されるか、または連動制御されることが望ましい。
【００５６】
以下、本発明の望ましい実施例による生ごみ処理装置の動作に対して説明することにする。
【００５７】
先ず、流し口１１に生ごみと皿洗い水が流入されれば、濾過部１１０の濾過網１１２によって生ごみだけが濾過されて皿洗い水は、分配容器１１３を経由して排水されて消滅機１３０の排水室１３３に流入される。
【００５８】
以後、前記濾過網１１２に所定量の生ごみが濾過された状態で、濾過網１１２が分配容器１１３から分離された後引っ繰り返る動作によって粉砕機１２０の粉砕容器１２３に投入される。
【００５９】
以後、制御機(図示せず)によって制御される粉砕機１２０によって前記生ごみは、小さな大きさに粉砕された後、消滅機１３０の消滅容器１３１に流入される。
【００６０】
以後、消滅機１３０の入口１３６を通じて微生物または別途の生ごみが消滅容器１３１に収容された状態で、制御機(図示せず)によって制御される撹拌部１３７とヒーティング部１３８の動作によって生ごみと微生物が撹拌反応するようになると共に加熱が進行されて所定時間後、前記生ごみが完全消滅する。
【００６１】
この時、前記生ごみに含まれた水分は、前記消滅容器１３１の撹拌部１３７下側に構成された排水板１３９を通じて排水室１３３に集塵されて、前記皿洗い水と共に消滅機１３０の外部に排水される。
【００６２】
一方、前記のような生ごみの処理作業中または作業後に消滅容器１３１の掃除時、制御機(図示せず)によって制御される洗滌部１４０によって消滅容器１３１の上側に構成された洗滌パンネル１４１に形成される洗滌用管路１４３a及び多数個の噴射孔１４３らからシンク台の水道栓から供給される水道水が消滅容器１３１の壁面を向けて噴射されて、消滅容器１３１の微生物に水分が供給されるか、または消滅容器１３１の壁面に付着した生ごみの残余物が分離除去される。
【００６３】
したがって、上述したところによれば、生ごみを粉砕処理する粉砕機１２０が濾過部１１０を通じて流し台１０に容易に設置されて、生ごみを消滅処理する消滅機１３０が粉砕機１２０に別に構成されて組合されるようにすることで、粉砕機１２０と消滅機１３０の個別的使用ができるようにして維持補修などを容易にすることができる。また、粉砕機１２０が流し台１０の下側部に位置されるようにして狭い空間にも容易に構成されるようにすることができる。
【００６４】
また、消滅機１３０の消滅容器１３１上側部に構成される洗滌部１４０によって消滅容器１３１の壁面が洗滌されるようにすることで、消滅容器１３１の微生物に水分を供給して微生物の活性化ができるようにして、また、消滅容器１３１の壁面に付着した生ごみの残余物が簡便に除去されるようにして、生ごみの処理効率を向上させることができる。
【符号の説明】
【００６５】
１０  流し台
１１  流し口
１１０  濾過部
１１３a  排水口
１２０  粉砕機
１２１  投入口
１２２  排出口
１３０  消滅機
１４０  洗滌部
【図１】
2015013249.tif 000003
【図２】
2015013249.tif 000004
【図３】
2015013249.tif 000005
【図４】
2015013249.tif 000006
【図５】
2015013249.tif 000007
【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
シンク台の流し台１０に形成された流し口１１と粉砕機１２０の投入口１２１の間に配置されて、生ごみと皿洗い水を濾過分離して前記分離した皿洗い水を排水口１１３aを通じて排水させて濾過された生ごみを投入口１２１に投入されるようにする濾過部１１０と、
前記濾過部１１０に連結された状態で濾過部１１０によって濾過された生ごみが投入口１２１を通じて投入される場合、生ごみを粉砕させて排出口１２２を通じて排出する粉砕機１２０と、
前記濾過部１１０と前記粉砕機１２０に連結組合された状態で生ごみが消滅容器１３１に流入される場合、これを微生物と撹拌させて消滅させて生ごみの水分と皿洗い水を外部に排水させる消滅機１３０と、及び
前記消滅機１３０の消滅容器１３１上側に構成されてシンク台の水道栓から水道水の供給を受けて、これを消滅容器１３１の壁面を向けて噴射させて消滅容器１３１の微生物に水分を供給するか、または壁面に付着した生ごみの残余物が洗滌除去されるようにする洗滌部１４０と、を含んでおり、
前記濾過部１１０は、
前記流し台１０の流し口１１周りによって上端が支持されるように流し口１１に挿入されて上下端が開口された流し口固定容器１１１と、
前記流し口固定容器１１１の下端開口周りによって上端が支持されるように流し口固定容器１１１に挿入されて、上端が開口されて側面に皿洗い水が排水される排水孔１１２aが形成されて、生ごみだけ濾過されるようにする濾過網１１２と、
前記濾過網１１２を収容した状態で前記流し口固定容器１１１の外側に上端内側が螺合されて、下側に前記濾過網１１２の排水孔１１２aを通じて排水される皿洗い水が排水されるようにする排水口１１３aが形成されて上下端が開口された分配容器１１３と、
前記分配容器１１３に濾過網１１２が収容される以前に分配容器１１３の下端開口部位の内側に上部外側が螺合されて分配容器１１３と流し口固定容器１１１の結合時に濾過網１１２の下端部が上端に支持されるようにして、下端部に形成された係止溝１１４aに前記粉砕機１２０の投入口１２１に形成された係止口１２１aが係止支持されるように挿入されて上下端が開口された粉砕機固定容器１１４と、及び
前記粉砕機固定容器１１４の上部外側に内側が螺合されて分配容器１１３の下端が支持されるようにして、粉砕機１２０が流し口１１に安定的に結合された状態を有するようにして上下端が開口された粉砕機固定ナット１１５を含んでおり、
前記消滅機１３０は、
ハウジングＨの内部に構成される消滅容器１３１と、
前記消滅容器１３１の一側に形成されて粉砕機１２０の排出口１２２に排出パイプ１３２aを通じて連結されて、生ごみが消滅容器１３１に流入されるようにする流入口１３２と、
前記消滅容器１３１の下側に形成されて生ごみに含まれた水が集水されるようにする排水室１３３と、
前記排水室１３３の一側に形成されて濾過部１１０の排水口１１３aに流入パイプ１３４aを通じて連結されて、皿洗い水が排水室１３３に流入されるようにする流入孔１３４と、
前記排水室１３３の一側に形成されてハウジングＨの外部に延長される排水パイプ１３５aを通じて連結されて、排水室１３３の皿洗い水と生ごみから集水された水が外部に排水されるようにする排水孔１３５と、
前記消滅容器１３１の上側に開口形成されて生ごみと微生物が流入されて、ふた１３６aによって開口部が開閉されて、ふた１３６aを通じる開口部の開放時に一方向だけで生ごみと微生物が流入されるように動作する逆流防止板１３６bを有する入口１３６と、
前記消滅容器１３１の内部に構成された状態でハウジングＨの一側に位置された駆動モータＭの動力によって回転動作されて生ごみと微生物を撹拌混合させて生ごみが消滅するようにする撹拌部１３７と、
前記消滅容器１３１の外部に構成された状態で前記消滅容器１３１を加熱させて生ごみを加熱させるヒーティング部１３８と、及び
前記消滅容器１３１内部の撹拌部１３７下側に位置されて、排水室１３３と消滅容器１３１を仕分け区切って生ごみが排水室１３３に流入されることができないようにして多数個の排水孔１３９aらを通じて前記生ごみの水分が排水室１３３に集水されるようにする排水板１３９を含む
ことを特徴とする生ごみ処理装置。
【請求項２】
前記洗滌部１４０は、
前記消滅容器１３１の入口１３６に対応される開口部が中央に形成されて、消滅容器１３１の上面面積に対応される面積を有して、消滅容器１３１の内部上面に構成される洗滌板１４１と、
前記洗滌板１４１の内部中空部１４１aに一端が連結されるように洗滌板１４１の下側面に位置されて、シンク台の水道栓から水道水の供給を受ける水道水供給管１４２と、及び
前記洗滌板１４１の底面縁に形成されて、前記水道水供給管１４２を通じて中空部１４１aに水道水の供給時に、これを消滅容器１３１の壁面と消滅容器１３１に噴射されるようにして、消滅容器１３１の壁面に付着した生ごみの残余物が分離除去されるようにする洗滌用管路１４３a及び多数個の噴射孔１４３を含むことを特徴とする請求項１に記載の生ごみ処理装置。
【手続補正２】
【補正対象書類名】明細書
【補正対象項目名】全文
【補正方法】変更
【補正の内容】
【発明の詳細な説明】
【技術分野】
【０００１】
本発明は、生ごみ処理装置に関するものであり、より詳細には、生ごみを粉碎する粉砕機に微生物を活用して粉砕された生ごみを消滅するようにする消滅機が組合される生ごみ処理装置に関する。
【背景技術】
【０００２】
環境に対する関心が高くなりながら家庭や営業場などで不可欠に発生される生ごみの処理に対する問題が頭をもたげている。
【０００３】
このような生ごみは、別途のごみ袋に詰められるか、または別途の容器に集められて一括収去されて処理されるが、収去過程でひどい悪臭が発生されて非衛生的であるだけでなく、生ごみの水分がごみ袋の外に流出されて周りが汚なくなる問題点があって、家庭や営業場自体で生ごみを消滅させることが切実な実情である。
【０００４】
これに、最近には生ごみを粉碎して排出する粉砕方式と微生物などを利用して消滅させる消滅方式などを有する生ごみ処理装置が大韓民国登録特許１０-０８１３３４２号などに開示されたことがある。
【０００５】
ここで、前記従来の生ごみ処理装置は、生ごみ及び微生物が投入される投入口が形成されて、生ごみが破砕及び撹拌される処理室が具備されて、前記処理室の一側に乾燥室及び駆動室が揃って、前記処理室の下部に生ごみ及び微生物から発生する水分が排水される排水口が形成されるハウジングと、前記投入口の下部に固定設置される破砕口及び破砕モータによって回転される破砕刃が具備されて投入された生ごみを破砕する破砕部と、前記処理室に設置されて撹拌モータによって結合されて回転して、内部に中空部が形成された撹拌軸及び前記撹拌軸の外周に螺旋形の撹拌翼が結合されて破砕された生ごみ及び微生物を撹拌する撹拌部と、前記乾燥室に設置されて送風機及びヒーターが具備されて、前記処理室に熱風を供給することと共に前記撹拌軸で連結された油路が形成されて中空部に熱風を供給して生ごみを加熱させるヒーティング部と、前記撹拌部の下部に多数個の排水孔が形成された多孔板が設置されて生ごみの水分を前記排水口に排出する排水部と、前記破砕部と撹拌部及びヒーティング部の動作を制御する制御部と、を含む。
【０００６】
しかし、前記従来の生ごみ処理装置は、一つの処理室に破砕部と撹拌部が共に形成されるために、二つの構成部の機能を個別的に使用することができない問題点があって、併せて、シンク台の流し台から独立的に設置されなければならないために多い空間を占める問題点があり、また、撹拌部の動作時に処理室の壁面に生ごみの残余物が付着される場合、これをとり除くための構成部が具備されなくて、使用者が処理室の壁面に付着した残余物を直接とり除かなければならないなどの問題点がある。
【先行技術文献】
【特許文献】
【０００７】
【特許文献１】韓国登録特許第１０−０８１３３４２号公報
【特許文献２】大韓民国公開特許１０−２００９−０００３８０５号公報
【発明の概要】
【発明が解決しようとする課題】
【０００８】
本発明は、生ごみを粉砕処理する粉砕機が濾過部を通じて流し台の下側部に設置されて、生ごみを消滅処理する消滅機が粉砕機と別に構成されて組合されるようにして、粉砕機と消滅機の個別的使用ができるようにすると共にそれぞれの維持補修を容易にして、狭い空間にも容易に構成されるようにすることができる生ごみ処理装置を提供することをその目的とする。
【０００９】
また、本発明は、消滅機の消滅容器上側部に洗滌部が構成されるようにして、洗滌部によって消滅容器の微生物に水分が供給されるようにするか、または消滅容器の壁面が洗滌されるようにして消滅容器の壁面に付着した生ごみの残余物が簡便に除去されるようにすることができる生ごみ処理装置を提供することを他の目的とする。
【課題を解決するための手段】
【００１０】
前記の目的を達成するために、本発明による生ごみ処理装置は、シンク台の流し台に形成された流し口と粉砕機の投入口との間に配置されて生ごみと皿洗い水を濾過分離して、前記分離した皿洗い水を排水口を通じて排水させて、濾過された生ごみを投入口に投入されるようにする濾過部と、該濾過部に連結された状態で濾過部によって濾過された生ごみが投入口を通じて投入される場合生ごみを粉砕させて排出口を通じて排出する粉砕機と、前記濾過部と前記粉砕機に連結組合された状態で生ごみが消滅容器に流入される場合、これを微生物と撹拌させて消滅させて、生ごみの水分と皿洗い水を外部に排水させる消滅機と、及び前記消滅機の消滅容器の上側に構成されてシンク台の水道栓から水道水の供給を受けて、これを消滅容器の壁面を向けて噴射させて消滅容器の微生物に水分を供給するか、または壁面に付着された生ごみの残余物が洗滌除去されるようにする洗滌部と、を含んで構成される。
【００１１】
前記生ごみ処理装置において、前記濾過部は、前記流し台の流し口の周りによって上端が支持されるように流し口に挿入されて上下端が開口された流し口固定容器と、前記流し口固定容器の下端開口の周りによって上端が支持されるように流し口固定容器に挿入されて上端が開口されて側面に皿洗い水が排水される排水孔が形成されて、生ごみだけ濾過されるようにする濾過網と、該濾過網を収容した状態で前記流し口固定容器の外側に上端内側が螺合されて、下側に前記濾過網の排水孔を通じて排水される皿洗い水が排水されるようにする排水口が形成されて上下端が開口された分配容器と、該分配容器に濾過網が収容される以前に分配容器の下端開口部位の内側に上部外側が螺合されて分配容器と流し口固定容器の結合時に濾過網の下端部が上端に支持されるようにして下端部に形成された係止溝に前記粉砕機の投入口に形成された係止口が係止支持されるように挿入されて、上下端が開口された粉砕機固定容器と、及び前記粉砕機固定容器の上部外側に内側が螺合されて分配容器の下端が支持されるようにして粉砕機が流し口に安定的に結合された状態を有するようにして上下端が開口された粉砕機固定ナットを含むことが望ましい。
【００１２】
前記生ごみ処理装置において、前記粉砕機は、投入口と排出口を有する粉砕容器の内部にスリット型または円形の固定刃とモータによって回転する円盤に可動式ハンマーであることが望ましい。
【００１３】
前記生ごみ処理装置において、前記消滅機は、ハウジングの内部に構成される消滅容器と、該消滅容器の一側に形成されて粉砕機の排出口に排出パイプを通じて連結されて生ごみが消滅容器に流入されるようにする流入口と、前記消滅容器の下側に形成されて生ごみに含まれた水が集水されるようにする排水室と、該排水室の一側に形成されて濾過部の排水口に流入パイプを通じて連結されて皿洗い水が排水室に流入されるようにする流入孔と、前記排水室の一側に形成されてハウジングの外部に延長される排水パイプを通じて連結されて排水室の皿洗い水と生ごみから集水された水が外部に排水されるようにする排水孔と、前記消滅容器の上側に開口形成されて生ごみと微生物が流入されてふたによって開口部が開閉されてふたを通じる開口部の開放時に一方向だけで生ごみと微生物が流入されるように動作する逆流防止板を有する入口と、前記消滅容器の内部に構成された状態でハウジングの一側に位置された駆動モータの動力によって回転動作されて生ごみと微生物を撹拌混合させて生ごみが消滅するようにする撹拌部と、前記消滅容器の外部に構成された状態で前記消滅容器を加熱させて生ごみを加熱させるヒーティング部と、及び前記消滅容器内部の撹拌部下側に位置されて排水室と消滅容器を仕分け区切って生ごみが排水室に流入されることができないようにして、多数個の排水孔らを通じて前記生ごみの水分が排水室に集水されるようにする排水板と、を含むことが望ましい。
【００１４】
前記生ごみ処理装置において、前記洗滌部は、前記消滅容器の入口に対応される開口部が中央に形成されて消滅容器の上面面積に対応される面積を有して消滅容器の内部上面に構成される洗滌板と、該洗滌板の内部中空部に一端が連結されるように洗滌板の下側面に位置されて、シンク台の水道栓から水道水の供給を受ける水道水供給管と、及び前記洗滌板の底面縁に形成されて前記水道水供給管を通じて中空部に水道水の供給時に、これを消滅容器の壁面と消滅容器に噴射されるようにして消滅容器の壁面に付着した生ごみの残余物が分離除去されるようにする洗滌用管路及び多数個の噴射孔を含むことが望ましい。
【発明の効果】
【００１５】
本発明によれば、生ごみを粉砕処理する粉砕機が濾過部を通じて流し台の下側部に設置されて、生ごみを消滅処理する消滅機が粉砕機に別に構成されて組合されるようにすることで、粉砕機と消滅機の個別的使用ができるようにして維持補修などが容易であり、また狭い空間にも容易に設置されることができる。
【００１６】
また、消滅機の消滅容器上側部に構成される洗滌部によって消滅容器の壁面が洗滌されるようにすることで、消滅容器の微生物に水分が供給されるようにして微生物の活性化ができるようにするか、または消滅容器壁面に付着した生ごみの残余物を簡便に除去することができて、これを通じて生ごみの処理効率を向上させることができる。
【００１７】
一方、本発明の効果は、以上で言及した効果で制限されないし、言及されなかった他の効果らは、請求範囲の記載から当業者に明確に理解されることができるであろう。
【図面の簡単な説明】
【００１８】
【図１】本発明の望ましい実施例による生ごみ処理装置を示した斜視図である。
【図２】図１の生ごみ処理装置を示した正断面図である。
【図３】図１の生ごみ処理装置を示した側断面図である。
【図４】図１の生ごみ処理装置において濾過部を示した分解斜視図である。
【図５】図１の生ごみ処理装置において洗滌部を示した図面である。
【発明を実施するための形態】
【００１９】
以下、添付された図面を参照しながら本発明の望ましい実施例に対して詳しく説明することにする。
【００２０】
図１乃至図５に示されたところのように、本発明の望ましい実施例による生ごみ処理装置は、濾過部１１０、粉砕機１２０、消滅機１３０及び洗滌部１４０を含んで構成される。
【００２１】
濾過部１１０は、シンク台の流し台１０に形成された流し口１１と粉砕機１２０の投入口１２１との間に配置されて、生ごみと皿洗い水を濾過分離して分離した皿洗い水を排水口１１３aを通じて排水させて濾過された生ごみを投入口１２１に投入されるようにする。
【００２２】
粉砕機１２０は、濾過部１１０に連結された状態で濾過部１１０によって濾過された生ごみが投入口１２１を通じて投入される場合、投入された生ごみを粉砕させて排出口１２２を通じて排出する。
【００２３】
消滅機１３０は、濾過部１１０と粉砕機１２０に連結組合された状態で粉砕機１２０によって粉砕された生ごみが消滅容器１３１に流入される場合、これを微生物と撹拌させて消滅させて生ごみの水分と皿洗い水を外部に排水させる。
【００２４】
洗滌部１４０は、消滅機１３０の消滅容器１３１上側に設置されてシンク台の水道栓から水道水の供給を受けて、これを消滅容器１３１の壁面を向けて噴射させて消滅容器１３１の微生物に水分を供給するか、または壁面に付着した生ごみの残余物が洗滌除去されるようにする。
【００２５】
濾過部１１０は、シンク台の流し台１０に形成された流し口１１と粉砕機１２０の投入口１２１との間に配置されて、生ごみと皿洗い水を濾過分離して前記分離した水を排水口１１３aを通じて排水させる濾過分離手段で、流し口固定容器１１１、濾過網１１２、分配容器１１３、粉砕機固定容器１１４及び粉砕機固定ナット１１５を具備する。
【００２６】
流し口固定容器１１１は、流し台１０の流し口１１周りによって上端が支持されるように流し口１１に挿入されて、上下端はすべて開口される。
【００２７】
濾過網１１２は、流し口固定容器１１１の下端開口周りによって上端が支持されるように流し口固定容器１１１に挿入されて、上端が開口されて側面に皿洗い水が排水される排水孔１１２aが形成されて生ごみだけ濾過されるようにする。
【００２８】
分配容器１１３は、濾過網１１２を内部に収容した状態で流し口固定容器１１１の外側に上端内側が螺合されて、下側に前記濾過網１１２の排水孔１１２aを通じて排水される皿洗い水が排水されるようにする排水口１１３aが形成されて上下端が開口される。
【００２９】
粉砕機固定容器１１４は、分配容器１１３に濾過網１１２が収容される以前に分配容器１１３の下端開口部位の内側に上部外側が螺合されて分配容器１１３と流し口固定容器１１１の結合時に濾過網１１２の下端部が上端に支持されるようにする。粉砕機固定容器１１４の下端部に形成された係止溝１１４aに粉砕機１２０の投入口１２１に形成された係止口１２１aが係止支持されて、粉砕機固定容器１１４は上下端がすべて開口される。
【００３０】
粉砕機固定ナット１１５は、粉砕機固定容器１１４の上部外側に内側が螺合されて、分配容器１１３の下端が支持されるようにして粉砕機１２０が流し口１１に安定的に結合された状態を有するようにして上下端が開口される。
【００３１】
ここで、流し口１１周りで流し台１０の上面と下面に接触される流し口固定容器１１１と分配容器１１３にそれぞれ該当の部位にパッキングが構成されて、また、粉砕機固定容器１１４の上部内側に接触される濾過網１１２の該当部位にもパッキングが構成されて、また、分配容器１１３の下端開口部の上面と底面に接触される粉砕機固定容器１１４と粉砕機固定ナット１１５にもそれぞれ該当部位にパッキングが構成されて、パッキングを通じてシーリング機能が提供されるようにすることが望ましい。
【００３２】
したがって濾過部１１０によれば、粉砕機１２０の投入口１２１が流し台１０の流し口１１に前記構成部らを通じて簡便に連結された状態を有することができるし、生ごみと皿洗い水を濾過網１１２を通じて濾過分離して、前記分離した水は分配容器１１３の排水口１１３aを通じて排水させて前記濾過された生ごみは濾過網１１２を分配容器１１３から分離した状態で濾過網１１２を覆す動作を通じて粉砕機１２０の投入口１２１に連結された粉砕機固定容器１１４に生ごみが投入されるようにすることができる。
【００３３】
粉砕機１２０は、濾過部１１０の粉砕機固定容器１１４に連結された状態で濾過部１１０によって濾過された生ごみが投入口１２１を通じて投入される場合生ごみを粉砕させて排出口１２２を通じて排出する粉砕手段で、投入口１２１と排出口１２２を有する粉砕容器１２３の内部にスリット型または円形の固定刃とモータによって回転する円盤に可動式ハンマーなどのような公知の構成部が構成されて、投入口１２１を通じて投入された生ごみを粉碎した後排出口１２２を通じて消滅機１３０の消滅容器１３１に排出する。
【００３４】
したがって粉砕機１２０によれば、濾過部１１０の濾過網１１２によって濾過された生ごみが細かく粉砕されるようにして、後述された消滅機１３０を通じる消滅作業が円滑になされるようにすることができる。
【００３５】
消滅機１３０は、濾過部１１０と粉砕機１２０に連結組合された状態で生ごみが消滅容器１３１に流入される場合、これを微生物と撹拌させて消滅させて生ごみの水分と皿洗い水を外部に排水させる消滅手段で、消滅容器１３１、流入口１３２、排水室１３３、流入孔１３４、排水孔１３５、入口１３６、撹拌部１３７、ヒーティング部１３８及び排水板１３９を具備する。
【００３６】
消滅容器１３１は、ハウジングＨの内部に構成される。
【００３７】
流入口１３２は、消滅容器１３１の一側に形成されて、粉砕機１２０の排出口１２２に排出パイプ１３２aを通じて連結されて、生ごみが消滅容器１３１に流入されるようにする。
【００３８】
排水室１３３は、消滅容器１３１の下側に形成されて生ごみに含まれた水が集水されるようにする。
【００３９】
流入孔１３４は、排水室１３３の一側に形成されて濾過部１１０の排水口１１３aに流入パイプ１３４aを通じて連結されて、皿洗い水が排水室１３３に流入されるようにする。
【００４０】
排水孔１３５は、排水室１３３の一側に形成されてハウジングＨの外部に延長される排水パイプ１３５aを通じて連結されて、排水室１３３の皿洗い水と生ごみから集水された水が外部に排水されるようにする。
【００４１】
入口１３６は、消滅容器１３１の上側に開口形成されて生ごみと微生物が流入されて、ふた１３６aによって開口部が開閉されてふた１３６aを通じる開口部の開放時に一方向だけで生ごみと微生物が流入されるように動作する逆流防止板１３６bを有する。
【００４２】
撹拌部１３７は、消滅容器１３１の内部に構成された状態でハウジングＨの一側に位置された駆動モータＭの動力によって回転動作されて、生ごみと微生物を撹拌混合させて生ごみが消滅するようにする。
【００４３】
ヒーティング部１３８は、消滅容器１３１の外部に構成された状態で消滅容器１３１を加熱させて微生物を活性化させる。
【００４４】
排水板１３９は、消滅容器１３１内部の撹拌部１３７下側に位置されて、排水室１３３と消滅容器１３１を仕分け区切って生ごみが排水室１３３に流入されることができないようにして多数個の排水孔１３９aらを通じて前記生ごみの水分が排水室１３３に集水されるようにする。
【００４５】
ここで、撹拌部１３７は、駆動モータＭに連結されて回転動作される回転軸１３７aと回転軸１３７aに所定間隔と所定角度を有しながら配置される複数個の撹拌翼１３７bを具備する。
【００４６】
また、ヒーティング部１３８は、消滅容器１３１の外側面に付着した面相発熱ヒーターを具備する。
【００４７】
一方、排水室１３３の外側には、ソレノイドバルブが水道水供給ホースに連結されるように構成されて排水室１３３に流入または集水された食べ物残物を洗滌した方が良い。また、消滅容器１３１の一側には、エアポンプが消滅容器１３１及び排水室１３３に連結されるように構成された状態で消滅容器１３１及び排水室１３３に形成される多数個の通孔を通じて酸素が供給されるようにして微生物の円滑な繁殖を可能にさせた方が良い。
【００４８】
したがって消滅機１３０によれば、入口１３６または流入口１３２を通じて投入される生ごみを消滅容器１３１に収容されるようにした状態で撹拌部１３７とヒーティング部１３８を通じる微生物との撹拌反応と加熱を通じて生ごみが分解または消滅するようにすることと共に、排水室１３３を通じて生ごみの水分と皿洗い水を集水して外部に排水させて生ごみを効率的に処理することができる。
【００４９】
洗滌部１４０は、消滅機１３０の消滅容器１３１上側に構成されてシンク台の水道栓から水道水の供給を受けて、これを消滅容器１３１の壁面を向けて噴射させて消滅容器１３１の微生物に水分を供給するか、または壁面に付着した生ごみの残余物が洗滌除去されるようにする洗滌手段で、洗滌板１４１、水道水供給管１４２、洗滌用管路１４３a及び多数個の噴射孔１４３を具備する。
【００５０】
洗滌板１４１は、消滅容器１３１の入口１３６に対応される開口部が中央に形成されて、消滅容器１３１の上面面積に対応される面積を有して消滅容器１３１の内部上面に構成される。
【００５１】
水道水供給管１４２は、洗滌板１４１の内部中空部１４１aに一端が連結されるように洗滌板１４１の下側面に位置されて連結ホース(図示せず)などを通じてシンク台の水道栓から水道水の供給を受ける。
【００５２】
洗滌用管路１４３a及び多数個の噴射孔１４３は、消滅容器１３１の壁面の位置に対応される洗滌板１４１の底面縁に形成されて、水道水供給管１４２を通じて中空部１４１aに水道水の供給時、これを消滅容器１３１の壁面に噴射されるようにして消滅容器１３１の壁面に付着した生ごみの残余物が分離除去されるようにする。
【００５３】
ここで、水道水供給管１４２は、消滅容器１３１の外側に貫通構成された連結管(符号なし)に連結ホースを通じて連結されて、連結管の一端がシンク台の水道栓に連結されるようにすることが望ましい。
【００５４】
したがって洗滌部１４０によれば、水道栓から水道水の供給を受けて、これを消滅容器１３１と消滅容器１３１の壁面を向けて噴射させて消滅容器１３１の微生物に水分を供給するか、または壁面に付着した生ごみの残余物が洗滌除去されるようにして、微生物の活性化ができるようにすることができて、また、消滅容器１３１の掃除が容易であるようにできて、これを通じて、生ごみの処理効率を向上させることができる。
【００５５】
一方、本発明の実施例による、粉砕機１２０、消滅機１３０及び洗滌部１４０は、制御機(図示せず)によってその動作が個別制御されるか、または連動制御されることが望ましい。
【００５６】
以下、本発明の望ましい実施例による生ごみ処理装置の動作に対して説明することにする。
【００５７】
先ず、流し口１１に生ごみと皿洗い水が流入されれば、濾過部１１０の濾過網１１２によって生ごみだけが濾過されて皿洗い水は、分配容器１１３を経由して排水されて消滅機１３０の排水室１３３に流入される。
【００５８】
以後、前記濾過網１１２に所定量の生ごみが濾過された状態で、濾過網１１２が分配容器１１３から分離された後引っ繰り返る動作によって粉砕機１２０の粉砕容器１２３に投入される。
【００５９】
以後、制御機(図示せず)によって制御される粉砕機１２０によって前記生ごみは、小さな大きさに粉砕された後、消滅機１３０の消滅容器１３１に流入される。
【００６０】
以後、消滅機１３０の入口１３６を通じて微生物または別途の生ごみが消滅容器１３１に収容された状態で、制御機(図示せず)によって制御される撹拌部１３７とヒーティング部１３８の動作によって生ごみと微生物が撹拌反応するようになると共に加熱が進行されて所定時間後、前記生ごみが完全消滅する。
【００６１】
この時、前記生ごみに含まれた水分は、前記消滅容器１３１の撹拌部１３７下側に構成された排水板１３９を通じて排水室１３３に集水されて、前記皿洗い水と共に消滅機１３０の外部に排水される。
【００６２】
一方、前記のような生ごみの処理作業中または作業後に消滅容器１３１の掃除時、制御機(図示せず)によって制御される洗滌部１４０によって消滅容器１３１の上側に構成された洗滌板１４１に形成される洗滌用管路１４３a及び多数個の噴射孔１４３らからシンク台の水道栓から供給される水道水が消滅容器１３１の壁面を向けて噴射されて、消滅容器１３１の微生物に水分が供給されるか、または消滅容器１３１の壁面に付着した生ごみの残余物が分離除去される。
【００６３】
したがって、上述したところによれば、生ごみを粉砕処理する粉砕機１２０が濾過部１１０を通じて流し台１０に容易に設置されて、生ごみを消滅処理する消滅機１３０が粉砕機１２０に別に構成されて組合されるようにすることで、粉砕機１２０と消滅機１３０の個別的使用ができるようにして維持補修などを容易にすることができる。また、粉砕機１２０が流し台１０の下側部に位置されるようにして狭い空間にも容易に構成されるようにすることができる。
【００６４】
また、消滅機１３０の消滅容器１３１上側部に構成される洗滌部１４０によって消滅容器１３１の壁面が洗滌されるようにすることで、消滅容器１３１の微生物に水分を供給して微生物の活性化ができるようにして、また、消滅容器１３１の壁面に付着した生ごみの残余物が簡便に除去されるようにして、生ごみの処理効率を向上させることができる。
【符号の説明】
【００６５】
１０  流し台
１１  流し口
１１０  濾過部
１１３a  排水口
１２０  粉砕機
１２１  投入口
１２２  排出口
１３０  消滅機
１４０  洗滌部